(57)【要約】【課題】受信レベルが非常に高い受信アンテナがある場合でも正しく受信レベルの測定を行い、受信レベルが最も高いアンテナを選択すること。【解決手段】可変利得増幅器１０４は、ゲインが可変である増幅器であり、受信アンテナ１００−１，１００−２によって受信された信号を増幅する。タイミング制御部１０８は、ベースバンド処理部１０６による復号結果を用いて、受信アンテナを選択するためのアンテナ選択タイミングを検出し、ゲイン切替部１１０、受信レベル検波部１１２、およびアンテナ切替部１２２に対してそれぞれ動作のタイミングを指示する。ゲイン切替部１１０は、タイミング制御部１０８の指示に従い、アンテナ選択動作時のみ動作する。具体的には、ゲイン切替部１１０は、アンテナ選択動作時に可変利得増幅器１０４のゲインを所定の切り替え幅だけ低下させる。【選択図】      図１
2005027101.tif 000002
【特許請求の範囲】
【請求項１】
複数の受信アンテナのうち信号の受信に用いる受信アンテナを選択するアンテナ選択装置であって、
受信アンテナの選択動作を開始するためのアンテナ選択タイミングを検出する検出手段と、
前記アンテナ選択タイミングにおいて、前記複数の受信アンテナのすべてを用いて信号を受信する受信手段と、
前記アンテナ選択タイミングにおいて、各受信アンテナによって受信された信号のパワーを低下させる制御手段と、
低下した信号パワーのうち最も高い信号パワーに対応する受信アンテナを選択する選択手段と、
を有することを特徴とするアンテナ選択装置。
【請求項２】
前記制御手段は、
各受信アンテナによって受信された信号をゲインに応じて増幅する増幅器と、
前記アンテナ選択タイミング以降、前記増幅器のゲインを低下させるゲイン切替部と、
を有することを特徴とする請求項１記載のアンテナ選択装置。
【請求項３】
前記制御手段は、
複数の切り替え幅を記憶し、所定の周期ごとに前記切り替え幅を前記ゲイン切替部に順次設定するゲイン設定部、をさらに有し、
前記ゲイン切替部は、設定された切り替え幅だけ前記増幅器のゲインを低下させることを特徴とする請求項２記載のアンテナ選択装置。
【請求項４】
前記ゲイン設定部は、
前記複数の切り替え幅を小さいものから順に前記ゲイン切替部に設定することを特徴とする請求項３記載のアンテナ選択装置。
【請求項５】
前記制御手段は、
各受信アンテナによって受信された信号を増幅する増幅器と、
前記アンテナ選択タイミング以降、増幅されて得られた信号のパワーを低下させるゲイン切替部と、
を有することを特徴とする請求項１記載のアンテナ選択装置。
【請求項６】
請求項１から請求項５のいずれかに記載のアンテナ選択装置を有することを特徴とする基地局装置。
【請求項７】
請求項１から請求項５のいずれかに記載のアンテナ選択装置を有することを特徴とする移動局装置。
【請求項８】
複数の受信アンテナのうち信号の受信に用いる受信アンテナを選択するアンテナ選択方法であって、
受信アンテナの選択動作を開始するためのアンテナ選択タイミングを検出するステップと、
前記アンテナ選択タイミングにおいて、前記複数の受信アンテナのすべてを用いて信号を受信するステップと、
前記アンテナ選択タイミングにおいて、各受信アンテナによって受信された信号のパワーを低下させるステップと、
低下した信号パワーのうち最も高い信号パワーに対応する受信アンテナを選択するステップと、
を有することを特徴とするアンテナ選択方法。
【発明の詳細な説明】
【０００１】
【発明の属する技術分野】
本発明は、アンテナ選択装置およびアンテナ選択方法に関する。
【０００２】
【従来の技術】
無線通信システムにおいては、ダイバーシチ効果を得るために、受信装置に複数の受信アンテナが設けられることがある。複数の受信アンテナは、各アンテナから同時に信号を受信して各受信信号を合成する合成ダイバーシチや、受信レベルが最も高いアンテナのみを用いて信号を受信する選択ダイバーシチなどに供される。
【０００３】
選択ダイバーシチでは、どのアンテナの受信レベルが最も高いかを判定する必要がある。そこで、例えば特許文献１においては、自装置とは無関係の情報を含むタイムスロットの時間を利用して、複数の受信アンテナのＲＳＳＩ（Ｒｅｃｅｉｖｅｄ  Ｓｉｇｎａｌ  Ｓｔｒｅｎｇｔｈ  Ｉｎｄｉｃａｔｏｒ）を比較し、ＲＳＳＩが最も大きい受信アンテナを選択する技術が開示されている。
【０００４】
このようにＲＳＳＩが最も大きい受信アンテナを選択することにより、選択されたアンテナを使用して通信性能の向上を図ることができる。
【０００５】
【特許文献１】
特許第２７１９５７５号公報
【０００６】
【発明が解決しようとする課題】
しかしながら、従来の選択ダイバーシチを行う受信装置においては、受信状態が非常に良好なアンテナがある場合、このアンテナの受信レベルが例えば受信レベルを測定するための回路などのダイナミックレンジを超えてしまうことがあるという問題がある。
【０００７】
特に、受信信号の受信レベルに応じて増幅器のゲインを制御するＡＧＣ（Ａｕｔｏ  Ｇａｉｎ  Ｃｏｎｔｒｏｌ）が行われている場合、現在選択されているアンテナの受信レベルが一定となるように増幅器のゲインが制御されるため、受信アンテナの選択時に、現在選択されているアンテナ以外のアンテナの受信信号も同様に増幅されることになる。したがって、現在選択されているアンテナ以外のアンテナの受信レベルが充分高い場合でも受信信号が増幅され、この受信信号の受信レベルが受信レベル測定回路などのダイナミックレンジを超えてしまうことがある。
【０００８】
受信レベルが受信レベル測定回路のダイナミックレンジを超えていると、受信レベルの測定は不能となり、実際には受信レベルが高く受信状態が良好であるにも拘わらず、この受信信号を受信したアンテナは選択されないことになる。
【０００９】
本発明は、かかる点に鑑みてなされたものであり、受信レベルが非常に高い受信アンテナがある場合でも正しく受信レベルの測定を行い、受信レベルが最も高いアンテナを選択することができるアンテナ選択装置およびアンテナ選択方法を提供することを目的とする。
【００１０】
【課題を解決するための手段】
本発明のアンテナ選択装置は、複数の受信アンテナのうち信号の受信に用いる受信アンテナを選択するアンテナ選択装置であって、受信アンテナの選択動作を開始するためのアンテナ選択タイミングを検出する検出手段と、前記アンテナ選択タイミングにおいて、前記複数の受信アンテナのすべてを用いて信号を受信する受信手段と、前記アンテナ選択タイミングにおいて、各受信アンテナによって受信された信号のパワーを低下させる制御手段と、低下した信号パワーのうち最も高い信号パワーに対応する受信アンテナを選択する選択手段と、を有する構成を採る。
【００１１】
この構成によれば、アンテナ選択タイミングにおいて、複数の受信アンテナから受信された信号のパワーを低下させ、低下した信号パワーのうち最も高い信号パワーに対応する受信アンテナを選択するため、受信信号のレベルが受信レベルなどを測定するための回路のダイナミックレンジを超えることが無く、受信レベルが非常に高い受信アンテナがある場合でも正しく受信レベルの測定を行い、受信レベルが最も高いアンテナを選択することができる。
【００１２】
本発明のアンテナ選択装置は、前記制御手段は、各受信アンテナによって受信された信号をゲインに応じて増幅する増幅器と、前記アンテナ選択タイミング以降、前記増幅器のゲインを低下させるゲイン切替部と、を有する構成を採る。
【００１３】
この構成によれば、アンテナ選択タイミング以降、増幅器のゲインを低下させて受信信号を増幅するため、確実に受信信号のパワーを低下させることができる。
【００１４】
本発明のアンテナ選択装置は、前記制御手段は、複数の切り替え幅を記憶し、所定の周期ごとに前記切り替え幅を前記ゲイン切替部に順次設定するゲイン設定部、をさらに有し、前記ゲイン切替部は、設定された切り替え幅だけ前記増幅器のゲインを低下させる構成を採る。
【００１５】
この構成によれば、所定の周期ごとにゲインの切り替え幅を変更して設定するため、複数の受信アンテナの受信状態の差が著しく大きい場合でも、確実に受信状態が良好な受信アンテナを選択することができる。
【００１６】
本発明のアンテナ選択装置は、前記ゲイン設定部は、前記複数の切り替え幅を小さいものから順に前記ゲイン切替部に設定する構成を採る。
【００１７】
この構成によれば、小さい切り替え幅から順に設定するため、最小の処理量で高速に受信状態が良好な受信アンテナを選択することができる。
【００１８】
本発明のアンテナ選択装置は、前記制御手段は、各受信アンテナによって受信された信号を増幅する増幅器と、前記アンテナ選択タイミング以降、増幅されて得られた信号のパワーを低下させるゲイン切替部と、を有する構成を採る。
【００１９】
この構成によれば、増幅した受信信号のパワーを低下させるため、ＡＧＣなどのゲイン制御とは独立に制御を行うことができ、処理の簡略化を図ることができる。
【００２０】
本発明の基地局装置は、上記のいずれかに記載のアンテナ選択装置を有する構成を採る。
【００２１】
この構成によれば、上記のいずれかに記載のアンテナ選択装置と同様の作用効果を、基地局装置において実現することができる。
【００２２】
本発明の移動局装置は、上記のいずれかに記載のアンテナ選択装置を有する構成を採る。
【００２３】
この構成によれば、上記のいずれかに記載のアンテナ選択装置と同様の作用効果を、移動局装置において実現することができる。
【００２４】
本発明のアンテナ選択方法は、複数の受信アンテナのうち信号の受信に用いる受信アンテナを選択するアンテナ選択方法であって、受信アンテナの選択動作を開始するためのアンテナ選択タイミングを検出するステップと、前記アンテナ選択タイミングにおいて、前記複数の受信アンテナのすべてを用いて信号を受信するステップと、前記アンテナ選択タイミングにおいて、各受信アンテナによって受信された信号のパワーを低下させるステップと、低下した信号パワーのうち最も高い信号パワーに対応する受信アンテナを選択するステップと、を有するようにした。
【００２５】
この方法によれば、アンテナ選択タイミングにおいて、複数の受信アンテナから受信された信号のパワーを低下させ、低下した信号パワーのうち最も高い信号パワーに対応する受信アンテナを選択するため、受信信号のレベルが受信レベルなどを測定するための回路のダイナミックレンジを超えることが無く、受信レベルが非常に高い受信アンテナがある場合でも正しく受信レベルの測定を行い、受信レベルが最も高いアンテナを選択することができる。
【００２６】
【発明の実施の形態】
本発明の骨子は、アンテナ選択動作時には、受信信号のゲインを通常動作時よりも低く設定することである。
【００２７】
以下、本発明の実施の形態について、図面を参照して詳細に説明する。
【００２８】
（実施の形態１）
図１は、本発明の実施の形態１に係るアンテナ選択装置の構成を示すブロック図である。図１に示すアンテナ選択装置は、受信アンテナ１００−１、１００−２、スイッチ１０２、可変利得増幅器１０４、ベースバンド処理部１０６、タイミング制御部１０８、ゲイン切替部１１０、受信レベル検波部１１２、ＡＧＣ（Ａｕｔｏ  Ｇａｉｎ  Ｃｏｎｔｒｏｌ）制御部１１４、記憶部１１６、受信レベル比較部１１８、判定部１２０、およびアンテナ切替部１２２を有している。
【００２９】
受信アンテナ１００−１、１００−２は、受信状態が良好であるいずれか一方の受信アンテナが選択され、選択された受信アンテナが信号を受信する。なお、ここでは説明の便宜上、受信アンテナが２本の場合について説明するが、本発明はこれに限定されず、受信アンテナが２本以上であれば何本でも良い。
【００３０】
スイッチ１０２は、アンテナ切替部１２２の指示に従って受信アンテナ１００−１および受信アンテナ１００−２を切り替える。
【００３１】
可変利得増幅器１０４は、ゲインが可変である増幅器であり、受信アンテナ１００−１または受信アンテナ１００−２によって受信された信号を増幅する。
【００３２】
ベースバンド処理部１０６は、受信信号の周波数を無線周波数帯からベースバンド帯へ変換し、受信信号の復調・復号などを行う。
【００３３】
タイミング制御部１０８は、ベースバンド処理部１０６による復号結果を用いて、受信アンテナを選択するために設けられるアンテナ選択タイミングを検出し、ゲイン切替部１１０、受信レベル検波部１１２、およびアンテナ切替部１２２に対してそれぞれ動作のタイミングを指示する。具体的には、タイミング制御部１０８は、アンテナ選択タイミングを検出すると、通常動作時には動作がオフとなっているゲイン切替部１１０の動作をオンにし、受信レベル検波部１１２に受信アンテナ１００−１、１００−２のそれぞれの受信レベルを区別して測定させ、アンテナ切替部１２２に受信アンテナ１００−１、１００−２のそれぞれを所定期間ずつ選択するように切り替えさせる。なお、アンテナ選択タイミングとしては、従来と同様に、自装置とは無関係の情報を含むタイムスロットのタイミングなどを用いることができる。
【００３４】
ゲイン切替部１１０は、タイミング制御部１０８の指示に従い、アンテナ選択動作時のみ動作する。具体的には、ゲイン切替部１１０は、アンテナ選択動作時に可変利得増幅器１０４のゲインを所定の切り替え幅だけ低下させる。
【００３５】
受信レベル検波部１１２は、可変利得増幅器１０４から出力される受信信号の受信レベルを測定する。なお、受信レベル検波部１１２は、アンテナ選択動作時には、受信アンテナ１００−１、１００−２のそれぞれの受信信号を区別して受信レベルを測定する。
【００３６】
ＡＧＣ制御部１１４は、受信レベル検波部１１２によって測定される受信レベルが所望の受信レベルとなるように可変利得増幅器１０４のゲインを決定する。
【００３７】
記憶部１１６は、アンテナ選択動作時に、受信アンテナ１００−１、１００−２のいずれか一方の受信アンテナからの受信信号の受信レベルを一時的に記憶する。ここでは便宜上、記憶部１１６は、受信アンテナ１００−１の受信レベルを記憶するものとする。
【００３８】
受信レベル比較部１１８は、記憶部１１６に記憶された受信アンテナ１００−１の受信レベルと、もう一方の受信アンテナ１００−２の受信レベルとを比較する。
【００３９】
判定部１２０は、受信レベル比較部１１８による比較の結果、受信レベルが高い方の受信アンテナを選択し、選択した受信アンテナをアンテナ切替部１２２へ通知する。
【００４０】
アンテナ切替部１２２は、タイミング制御部１０８の制御に従って、受信アンテナ１００−１、１００−２のそれぞれを所定期間ずつ選択するようにスイッチ１０２を切り替える。また、アンテナ切替部１２２は、判定部１２０の選択に従って、選択された受信アンテナ側へスイッチ１０２を切り替える。
【００４１】
次いで、上記のように構成されたアンテナ選択装置の動作について、図２を参照して具体的に説明する。なお、以下の説明においては、現在受信アンテナ１００−１が選択されており、通常の受信動作が行われているものとする。
【００４２】
通常動作中、受信アンテナ１００−１によって受信された信号は、スイッチ１０２を介して可変利得増幅器１０４へ入力され、ＡＧＣ制御部１１４によって設定されたゲインで増幅される。このとき、通常動作中であるため、ゲイン切替部１１０はオフの状態となっており、動作していない。
【００４３】
増幅後の信号は、受信レベル検波部１１２によって受信レベルが測定されてＡＧＣ制御部１１４によるＡＧＣが行われるとともに、ベースバンド処理部１０６によって復調・復号される。
【００４４】
ベースバンド処理部１０６による処理結果は、タイミング制御部１０８へ出力され、例えば自装置とは無関係な情報を含むタイムスロットのタイミングのように、アンテナ選択動作に適したアンテナ選択タイミングが検出される。
【００４５】
タイミング制御部１０８によってアンテナ選択タイミングが検出されると、以下のようなアンテナ選択動作が開始される。
【００４６】
すなわち、まず、タイミング制御部１０８によって、ゲイン切替部１１０がオンの状態へと切り替えられ、動作を開始する。したがって、以後、可変利得増幅器１０４のゲインは所定の切り替え幅だけ低下することになり、受信アンテナ１００−１、１００−２によって受信される信号のパワーは低下する。
【００４７】
また、ゲイン切替部１１０の動作開始と同時に、タイミング制御部１０８によって、アンテナ選択動作を開始する旨が受信レベル検波部１１２へ通知される。この通知を受け、受信レベル検波部１１２によって測定された受信アンテナ１００−１の受信レベルは、ＡＧＣ制御部１１４のみではなく記憶部１１６へも出力され、記憶部１１６によって記憶される。
【００４８】
アンテナ選択タイミングが検出されてから所定期間が経過すると、その旨がタイミング制御部１０８によって受信レベル検波部１１２およびアンテナ切替部１２２へ通知される。この通知を受け、アンテナ切替部１２２によってスイッチ１０２が受信アンテナ１００−２側へ切り替えられ、受信レベル検波部１１２によって測定された受信レベル（すなわち、受信アンテナ１００−２の受信レベル）は、記憶部１１６ではなく受信レベル比較部１１８へ出力されるようになる。
【００４９】
このとき、受信アンテナ１００−２の受信状態が非常に良好である場合、従来であれば、受信アンテナ１００−２からの受信信号は、ＡＧＣ制御部１１４による制御に従った可変利得増幅器１０４のゲインで増幅され、受信レベルが受信レベル検波部１１２のダイナミックレンジを超えてしまう。
【００５０】
すなわち、例えば図２（ａ）に示すようなゲインで増幅されている場合、時刻Ｔ１においては、図中実線および点線で示す２つの受信レベルが図中黒枠で示す受信レベル測定回路のダイナミックレンジに収まっているため、図中点線で示す受信レベルを有する受信アンテナが受信状態が良好な受信アンテナとして選択される。これに対し、時刻Ｔ２においては、実線で示す受信レベルが受信レベル測定回路のダイナミックレンジに収まっていないため、図中実線で示す受信レベルは測定不能となり、実際の受信レベルは低いにも拘わらず、図中点線で示す受信レベルを有する受信アンテナが選択される。
【００５１】
しかし、本実施の形態においては、ゲイン切替部１１０が動作していることにより、可変利得増幅器１０４のゲインが所定の切り替え幅だけ低下しており、受信アンテナ１００−２の受信レベルが受信レベル検波部１１２のダイナミックレンジを超えてしまうことがない。したがって、たとえ受信アンテナ１００−１よりも受信アンテナ１００−２の受信状態が非常に良好となっている場合でも、受信アンテナ１００−２の受信レベルを正確に測定することができる。
【００５２】
すなわち、本実施の形態においては、例えば図２（ｂ）に示すように、図２（ａ）に示すゲインよりも小さいゲインで受信信号が増幅されている。したがって、時刻Ｔ２においても、図中実線および点線で示す２つの受信レベルが図中黒枠で示す受信レベル測定回路のダイナミックレンジに収まっているため、受信レベルの測定が可能となり、図中実線で示す受信レベルを有する受信アンテナが受信状態が良好な受信アンテナとして正しく選択される。
【００５３】
そして、受信レベル比較部１１８によって、記憶部１１６によって記憶された受信アンテナ１００−１の受信レベルと、受信アンテナ１００−２の受信レベルとが比較される。比較結果は、判定部１２０へ出力され、判定部１２０によって、受信レベルが大きい受信アンテナが通信に用いられる受信アンテナとして選択される。通信用の受信アンテナが選択されると、アンテナ切替部１２２によって、選択された受信アンテナ側へスイッチ１０２が切り替えられ、アンテナ選択動作は終了する。
【００５４】
このように、本実施の形態によれば、アンテナ選択動作を開始するタイミングを検出し、アンテナ選択動作の開始と同時に増幅器のゲインを低下させるため、受信状態が非常に良好で受信レベルが高い受信アンテナがある場合でも、その受信レベルが受信レベル測定回路のダイナミックレンジを超えることがなく、より受信レベルが高い受信アンテナを正しく選択することができる。
【００５５】
（実施の形態２）
本発明の実施の形態２の特徴は、アンテナ選択動作時には、増幅器による増幅後の信号のパワーを低下させる点である。
【００５６】
図３は、実施の形態２に係るアンテナ選択装置の構成を示すブロック図である。同図において、図１と同じ部分には同じ符号を付し、その説明を省略する。図３に示すアンテナ選択装置は、受信アンテナ１００−１、１００−２、スイッチ１０２、可変利得増幅器１０４、ベースバンド処理部１０６、タイミング制御部１０８、受信レベル検波部１１２、ＡＧＣ制御部１１４、記憶部１１６、受信レベル比較部１１８、判定部１２０、アンテナ切替部１２２、およびゲイン切替部２００を有している。
【００５７】
ゲイン切替部２００は、タイミング制御部１０８の指示に従い、アンテナ選択動作時のみ動作する。具体的には、ゲイン切替部２００は、例えば減衰器などから構成されており、アンテナ選択動作時に可変利得増幅器１０４から出力された信号のパワーを所定の切り替え幅だけ低下させる。
【００５８】
次いで、上記のように構成されたアンテナ選択装置の動作について説明する。なお、以下の説明においては、現在受信アンテナ１００−１が選択されており、通常の受信動作が行われているものとする。
【００５９】
タイミング制御部１０８によるアンテナ選択タイミングの検出までの動作は、実施の形態１と同様であるため、その説明を省略する。
【００６０】
タイミング制御部１０８によってアンテナ選択タイミングが検出されると、以下のようなアンテナ選択動作が開始される。
【００６１】
すなわち、まず、ゲイン切替部２００がオンの状態へと切り替えられ、動作を開始する。したがって、以後、可変利得増幅器１０４から出力される受信信号が減衰され、パワーが所定の切り替え幅だけ低下することになる。
【００６２】
また、ゲイン切替部２００の動作開始と同時に、タイミング制御部１０８によって、アンテナ選択動作を開始する旨が受信レベル検波部１１２へ通知される。この通知を受け、受信レベル検波部１１２によって測定された受信アンテナ１００−１の受信レベルは、ＡＧＣ制御部１１４のみではなく記憶部１１６へも出力され、記憶部１１６によって記憶される。
【００６３】
ここで、本実施の形態においては、アンテナ選択動作の開始と同時にゲイン切替部２００によって受信信号が減衰されているため、受信レベル検波部１１２へ入力される信号のレベルが受信レベル検波部１１２のダイナミックレンジを超えていることはない。
【００６４】
また、可変利得増幅器１０４による増幅後の受信信号のパワーを低下させているため、ＡＧＣによるゲインの制御とは全く独立に制御を行うことができ、ゲインの制御を簡略化することができる。
【００６５】
以下、実施の形態１と同様に、受信レベル比較部１１８によって受信アンテナ１００−１の受信レベルと受信アンテナ１００−２の受信レベルとが比較され、判定部１２０によって受信レベルが高い方の受信アンテナが選択され、アンテナ切替部１２２によって選択された受信アンテナ側へスイッチ１０２が切り替えられる。
【００６６】
このように、本実施の形態によれば、アンテナ選択動作を開始するタイミングを検出し、アンテナ選択動作の開始と同時に増幅器による増幅後の受信信号のパワーを低下させるため、受信状態が非常に良好で受信レベルが高い受信アンテナがある場合でも、その受信レベルが受信レベル測定回路のダイナミックレンジを超えることがなく、より受信レベルが高い受信アンテナを正しく選択することができる。また、既存のＡＧＣと独立した制御を行うことができ、制御の簡略化を図ることができる。
【００６７】
（実施の形態３）
本発明の実施の形態３の特徴は、アンテナ選択動作時に、複数の切り替え幅で増幅器のゲインを低下させる点である。
【００６８】
図４は、実施の形態３に係るアンテナ選択装置の構成を示すブロック図である。同図において、図１と同じ部分には同じ符号を付し、その説明を省略する。図４に示すアンテナ選択装置は、受信アンテナ１００−１、１００−２、スイッチ１０２、可変利得増幅器１０４、ベースバンド処理部１０６、タイミング制御部１０８、ゲイン切替部１１０ａ、受信レベル検波部１１２、ＡＧＣ制御部１１４、記憶部１１６、受信レベル比較部１１８、判定部１２０、アンテナ切替部１２２、およびゲイン設定部３００を有している。
【００６９】
ゲイン切替部１１０ａは、可変利得増幅器１０４のゲインをゲイン設定部３００によって設定される切り替え幅だけ低下させる。
【００７０】
ゲイン設定部３００は、所定の周期でゲイン切替部１１０ａにゲインの切り替え幅を設定する。なお、ゲイン設定部３００は、あらかじめ複数の切り替え幅を記憶しており、小さいものから順にゲイン切替部１１０ａに設定する。
【００７１】
次いで、上記のように構成されたアンテナ選択装置の動作について説明する。なお、以下の説明においては、現在受信アンテナ１００−１が選択されており、通常の受信動作が行われているものとする。また、ゲイン設定部３００には、小さい方から順に、切り替え幅Ａ、切り替え幅Ｂ、および切り替え幅Ｃの３種類の切り替え幅が記憶されているものとする。
【００７２】
タイミング制御部１０８によるアンテナ選択タイミングの検出までの動作は、実施の形態１と同様であるため、その説明を省略する。
【００７３】
タイミング制御部１０８によってアンテナ選択タイミングが検出されると、以下のようなアンテナ選択動作が開始される。
【００７４】
すなわち、まず、ゲイン切替部１１０ａおよびゲイン設定部３００がオンの状態へと切り替えられ、動作を開始する。具体的には、ゲイン設定部３００によって切り替え幅Ａがゲイン切替部１１０ａに設定され、可変利得増幅器１０４のゲインが切り替え幅Ａだけ低下し、受信アンテナ１００−１、１００−２によって受信される信号のパワーは低下する。
【００７５】
また、ゲイン切替部１１０ａおよびゲイン設定部３００の動作開始と同時に、タイミング制御部１０８によって、アンテナ選択動作を開始する旨が受信レベル検波部１１２へ通知される。この通知を受け、受信レベル検波部１１２によって測定された受信アンテナ１００−１の受信レベルは、ＡＧＣ制御部１１４のみではなく記憶部１１６へも出力され、記憶部１１６によって記憶される。なお、このとき、受信アンテナ１００−１の受信レベルは、ゲイン切替部１１０ａに設定されている切り替え幅Ａと関連づけられて記憶される。
【００７６】
一方、ゲイン切替部１１０ａに切り替え幅Ａが設定されてから所定周期が経過すると、ゲイン設定部３００によって、切り替え幅Ａよりも大きい切り替え幅Ｂがゲイン切替部１１０ａに設定され、可変利得増幅器１０４のゲインが切り替え幅Ｂだけ低下する。
【００７７】
さらに、ゲイン切替部１１０ａに切り替え幅Ｂが設定されてから所定周期が経過すると、ゲイン設定部３００によって、切り替え幅Ｂよりも大きい切り替え幅Ｃがゲイン切替部１１０ａに設定され、可変利得増幅器１０４のゲインが切り替え幅Ｃだけ低下する。
【００７８】
これらの切り替え幅Ａ〜Ｃに対応する受信アンテナ１００−１の受信レベルは、それぞれの切り替え幅と関連づけられて記憶部１１６に記憶される。
【００７９】
そして、アンテナ選択タイミングが検出されてから所定期間が経過すると、その旨がタイミング制御部１０８によって、ゲイン設定部３００、受信レベル検波部１１２、およびアンテナ切替部１２２へ通知される。この通知を受け、アンテナ切替部１２２によってスイッチ１０２が受信アンテナ１００−２側へ切り替えられ、受信レベル検波部１１２によって測定された受信レベル（すなわち、受信アンテナ１００−２の受信レベル）は、記憶部１１６ではなく受信レベル比較部１１８へ出力されるようになる。また、ゲイン設定部３００によって、再び切り替え幅Ａがゲイン切替部１１０ａに設定され、可変利得増幅器１０４のゲインの低下幅は切り替え幅Ａに等しくなる。
【００８０】
そして、受信レベル比較部１１８によって、記憶部１１６によって切り替え幅Ａに関連づけられて記憶された受信アンテナ１００−１の受信レベルと、受信アンテナ１００−２の受信レベルとが比較される。これにより、可変利得増幅器１０４のゲインを切り替え幅Ａだけ低下させた場合の受信アンテナ１００−１、１００−２の受信レベルが比較される。比較結果は、判定部１２０へ出力され、判定部１２０によって、受信レベルが大きい受信アンテナが通信に用いられる受信アンテナとして選択される。通信用の受信アンテナが選択されると、アンテナ切替部１２２によって、選択された受信アンテナ側へスイッチ１０２が切り替えられる。
【００８１】
一方、ゲイン切替部１１０ａに切り替え幅Ａが設定されてから所定周期が経過すると、ゲイン設定部３００によって、切り替え幅Ａよりも大きい切り替え幅Ｂがゲイン切替部１１０ａに設定され、可変利得増幅器１０４のゲインが切り替え幅Ｂだけ低下する。
【００８２】
そして、受信レベル比較部１１８によって、記憶部１１６によって切り替え幅Ｂに関連づけられて記憶された受信アンテナ１００−１の受信レベルと、受信アンテナ１００−２の受信レベルとが比較される。これにより、可変利得増幅器１０４のゲインを切り替え幅Ｂだけ低下させた場合の受信アンテナ１００−１、１００−２の受信レベルが比較される。比較結果は、上記の切り替え幅Ａの場合と同様に、判定部１２０によって判定され、一方の受信アンテナが選択され、選択された受信アンテナ側へスイッチ１０２が切り替えられる。
【００８３】
さらに、ゲイン切替部１１０ａに切り替え幅Ｂが設定されてから所定周期が経過すると、ゲイン設定部３００によって、切り替え幅Ｂよりも大きい切り替え幅Ｃがゲイン切替部１１０ａに設定され、可変利得増幅器１０４のゲインが切り替え幅Ｃだけ低下する。
【００８４】
そして、受信レベル比較部１１８によって、記憶部１１６によって切り替え幅Ｃに関連づけられて記憶された受信アンテナ１００−１の受信レベルと、受信アンテナ１００−２の受信レベルとが比較される。これにより、可変利得増幅器１０４のゲインを切り替え幅Ｃだけ低下させた場合の受信アンテナ１００−１、１００−２の受信レベルが比較される。比較結果は、上記の切り替え幅Ａの場合と同様に、判定部１２０によって判定され、一方の受信アンテナが選択され、選択された受信アンテナ側へスイッチ１０２が切り替えられる。
【００８５】
このように、ゲインの切り替え幅を段階的に低下させることにより、現在選択されている受信アンテナ１００−１と受信アンテナ１００−２との受信レベルの差が大きい場合でも、確実に受信状態が良好な受信アンテナを選択することができる。
【００８６】
このように、本実施の形態によれば、アンテナ選択動作を開始するタイミングを検出し、アンテナ選択動作の開始時から段階的に増幅器のゲインを低下させ、それぞれのゲインの場合の受信レベルを比較するため、より確実に受信レベルが高い受信アンテナを選択することができる。
【００８７】
【発明の効果】
以上説明したように、本発明によれば、受信レベルが非常に高い受信アンテナがある場合でも正しく受信レベルの測定を行い、受信レベルが最も高いアンテナを選択することができる。
【図面の簡単な説明】
【図１】本発明の実施の形態１に係るアンテナ選択装置の構成を示すブロック図
【図２】実施の形態１に係るアンテナ選択装置の動作を説明するための図
【図３】本発明の実施の形態２に係るアンテナ選択装置の構成を示すブロック図
【図４】本発明の実施の形態３に係るアンテナ選択装置の構成を示すブロック図
【符号の説明】
１００−１、１００−２  受信アンテナ
１０２  スイッチ
１０４  可変利得増幅器
１０６  ベースバンド処理部
１０８  タイミング制御部
１１０、１１０ａ、２００  ゲイン切替部
１１２  受信レベル検波部
１１４  ＡＧＣ制御部
１１６  記憶部
１１８  受信レベル比較部
１２０  判定部
１２２  アンテナ切替部
３００  ゲイン設定部
【図１】
2005027101.tif 000003
【図２】
2005027101.tif 000004
【図３】
2005027101.tif 000005
【図４】
2005027101.tif 000006